【事件の表示】
　特願２０１１−２３０６４６号「遊技機」拒絶査定不服審判事件〔平成２５年　５月１３日出願公開、特開２０１３−　８５８１０号〕について、次のとおり審決する。
【結　論】
　本件審判の請求は、成り立たない。
【理　由】
第１　手続の経緯
　本願は、平成２３年１０月２０日の出願であって、平成２５年９月１１日付で最後の拒絶の理由が通知され、平成２５年１１月１５日付けで意見書及び手続補正書が提出されたところ、平成２６年２月２４日付け（発送日：平成２６年３月４日）で補正却下の決定がなされるとともに拒絶査定がなされ、これに対して、同年５月１４日に拒絶査定不服審判の請求がなされるとともに、手続補正がなされたところ、平成２７月４月２２日付けで当審による拒絶の理由が通知され、これに対して、同年６月１８日付けで意見書及び手続補正書が提出されたものである。
第２　本願発明について 
１　本願発明
　本願の請求項１〜４に係る発明は、平成２７年６月１８日付けの手続補正書により補正された特許請求の範囲の請求項１〜４に記載された事項により特定されるところ、その請求項１になる発明（以下「本願発明」という。）は次のとおりのものである（下線は、補正箇所を明示するために当審で付した。）。 
「【請求項１】
　遊技球による遊技が行われる遊技領域を有する遊技機において、
　透光性を有する部材で形成され、表面に前記遊技領域を有するとともに
遊技くぎが配置され
　通電されることにより発光する発光体が実装され、前記遊技板の前記突出部を介して当該遊技板に装着される基板と、を備え、
　前記遊技板は、材料としてポリカーボネートが用いられ、射出成形により成形された透明遊技板であり、当該射出成形により前記突出部が成形され、
　前記遊技板における前記基板が配置された部位の前記表面に、装飾的な模様が付されるとともに当該基板に実装された前記発光体により発光された光を透過する部材が設けられていることを特徴とする遊技機。」
２　刊行物１ 
（１）刊行物１に記載された発明
　平成２７年４月２２日付けの当審による拒絶理由通知に引用された本願の出願日前に頒布された特開２００９−８９８８８号公報（以下「刊行物１」という。）には、図面と共に次の事項が記載されている（下線は当審で付した。）。 
（１−ａ）「【発明が解決しようとする課題】
【０００５】
　しかしながら、上述した遊技機に設けられる遊技盤は、導光板（透明板)に形成された凹凸部(図柄)を発光させるようになっているが、方形状の導光板（透明板)の外形より外側にＬＥＤ（発光手段）を端面部に向けて配置しなければならないため、
遊技盤の全外周面にわたってＬＥＤ(発光手段)を配置することは、部品点数が多く遊技盤が大型化するためスペースを確保することが困難である
・・・
【０００７】
　
本発明の目的は、発光手段を省スペースに配置して遊技盤の背面側に形成された装飾模様を全面にわたって効率よく発光させ
盤面の装飾効果を向上させた遊技機を提供することにある
（１−ｂ）「【００１７】
　以下、本発明の実施形態について図面を参照しながら具体的に説明する。
　図１を参照して本実施形態に係る遊技機の概略構成について説明する。
本実施形態では遊技機の一例としてパチンコ機を例示して説明する
　
遊技機１は、
遊技盤３
を備えている
（１−ｃ）「【００１９】
　図２及び図３を参照して遊技盤ユニットＵの構成についてより詳細に説明する。
　図２において、
遊技盤３は例えば方形状の透明樹脂板
ポリカーボネイト樹脂板
９を単数又は複数積層して形成されている
透明樹脂板９の背面側には
装飾模様Ｍ１，Ｍ２が形成されている
【００２０】
　また、図３において、
遊技盤３の背面側には裏ユニット１０が設けられている。裏ユニット１０は背面カバー１１を備えている。背面カバー１１は、前面側が開口した筐体形状をしており、背面側に開口部１１ａが設けられている。背面カバー１１内には、光透過性樹脂材よりなる装飾部材１２が設けられている。装飾部材１２は背面側に設けられた発光基板１３より光照射されて発光するようになっている
【００２１】
　図２において、透明樹脂板９の中央窓部１５を形成する内周側端面部（端面顕出部）９ａには飾り枠部１６が設けられている。透明樹脂板９の中央窓部１５は凹面部若しくは開口部であり背面側の図柄表示装置１４や装飾部材１２（図３参照）が視認可能に配置されている。
透明樹脂板９の前面側には、上記飾り枠部１６のほかに、釘１７、スルーチャッカー１８、サイドランプ（チャッカー）１９、風車２０、電動チューリップ２１、アタッカー２２、レール２３などの盤面部品やアウトロ２４などが設けられている
盤面部品とは遊技盤３に設けられるあらゆる部材
（１−ｄ）「【００４０】
　このように、透明樹脂板９の複数層に設けられた第１装飾模様Ｍ１と第２装飾模様Ｍ３どうしの関連付けによる表示や図形Ｔ１，Ｔ２を構成する第１装飾模様Ｍ２と第２装飾模様Ｍ４どうしの重なり表示を行なうことや、各光源の発光状態を選択したり、盤面部品の発光と関連付けて表示したりすることによって、
遊技盤３の遊技領域全面を利用して立体的で迫力ある演出を楽しむことができる
（１−ｅ）前記（１−ｂ）の段落【００１７】の記載及び前記（１−ｃ）の段落【００１９】、【００２１】の記載より、遊技機１が備えている、透明樹脂板９で形成される遊技盤３の前面側には、パチンコ遊技を行うための飾り枠部１６、釘１７、スルーチャッカー１８、サイドランプ（チャッカー）１９、風車２０、電動チューリップ２１、アタッカー２２、レール２３などの盤面部品やアウトロ２４などが設けられていることから、遊技機１は、その前面側に、遊技領域を有するとともに釘１７などの盤面部品が設けられている遊技盤３を備えることは明らかである。
（１−ｆ）前記（１−ａ）の段落【０００５】、【０００７】の記載及び前記（１−ｃ）の段落【００２０】の記載より、「発光基板１３」の発光体として想定されているものは「ＬＥＤ」であり、ＬＥＤは通電されることにより発光することは技術常識である。
　そうすると、刊行物１には、通電されることにより発光する発光基板１３が記載されているといえる。
（１−ｇ）前記（１−ｃ）の段落【００１９】、【００２０】の記載、【図２】及び【図３】より、「透明樹脂板９」で形成された「遊技盤３」は、当該「遊技盤３」における「発光基板１３」が配置された部位の背面側に、「装飾模様Ｍ１，Ｍ２が形成されている」ことは自明である。
　上記の事項を総合すると、刊行物１には、次の発明が記載されていると認められる（以下「引用発明１」という。）。 
「遊技領域を備えたパチンコ機などの遊技機１であって、
　透明樹脂板９を単数又は複数積層して形成され、その前面側には、遊技領域を有するとともに釘１７などの盤面部品が設けられている遊技盤３と、
　通電されることにより発光し、前記遊技盤３の背面側に設けられた発光基板１３と、を備え、
　前記遊技盤３は、ポリカーボネイト樹脂板である透明樹脂板９で形成され、
  前記透明樹脂板９で形成された遊技盤３における前記発光基板１３が配置された部位の背面側には、装飾模様Ｍ１，Ｍ２が形成されている遊技機。」
３　刊行物２ 
（１）刊行物２に記載された発明
　平成２７年４月２２日付けの当審による拒絶理由通知に引用された本願の出願日前に頒布された特開２００２−１１９７１７号公報（以下「刊行物２」という。）には、図面と共に次の事項が記載されている（下線は当審で付した。）。 
   
（２−ａ）「【０００１】
【発明の属する技術分野】
本発明は、パチンコ機
等の弾球遊技機に関するものである
（２−ｂ）「【００１５】また、裏カバー３２の左右方向片側には、上下に配置された
基板ケース３４，３５が、
基板ケース３６，３７が、それぞれ遊技盤７の裏側に突設された基板ケース取付基部３８（取付部の一例）に対して、例えば木ねじ等によって着脱自在に装着されている（図４参照）
基板ケース３４にはサウンド制御基板３９が、基板ケース３５にはランプ制御基板４０が、基板ケース３６には払出し制御基板４１が、基板ケース３７には電源基板４２がそれぞれ格納されている
・・・
【００１７】
基板ケース取付基部３８は、基板ケース３４〜３７を遊技盤７の裏面から離れた位置で支持するように、例えば各基板ケース３４〜３７毎に４本ずつ立設されており
（２−ｃ）「【００２３】図７は、取付部品を一切取り付けていない状態の遊技盤７を示している。遊技盤７は、遊技部品の取付孔３１と切欠部７ａとが形成された平板部７１と、裏カバー取付基部３３と、基板ケース取付基部３８とを備えている。尚、
遊技盤７は
基板ケース取付基部３８を備えた状態で、木材と合成樹脂との混合材料を用いて、例えば射出成形により一体成形されている
【００２４】外枠１，前枠２、
遊技盤７には、木材とほぼ同様の加工性を有する木材と合成樹脂との混合材料を使用する
遊技盤７に対する障害釘の植設
などは、従来の木製のものと同様に行うことが可能
　上記の事項を総合すると、刊行物２には、次の発明が記載されていると認められる（以下「引用発明２」という。）。 
「パチンコ機などの弾球遊技機であって、
　障害釘が植設される遊技盤７の裏側に突設された基板ケース取付基部３８を介して前記遊技盤７と各制御基板３９〜４２が格納された基板ケース３４〜３７とが着脱自在に装着されており、
　前記遊技盤７と基板ケース取付基部３８とは、木材と合成樹脂との混合材料を用いて射出成形により一体成形されている、弾球遊技機。」
４　対比・判断 
（１）対比
　本願発明と引用発明１とを対比する。 
ア　引用発明１の「遊技領域を備えたパチンコ機などの遊技機１」は、本願発明の「遊技球による遊技が行われる遊技領域を有する遊技機」に相当する。
イ　引用発明１の「透明樹脂板９」、「遊技領域」、「釘１７」は、それぞれ、本願発明の「透光性を有する部材」、「遊技領域」、「遊技くぎ」  に相当する。
　そうすると、引用発明１の「透明樹脂板を単数又は複数積層して形成され、前面側に、遊技領域を有するとともに、釘１７などの盤面部品が設けられている遊技盤３」は、本願発明と「透光性を有する部材で形成され、表面に前記遊技領域を有するとともに遊技くぎが配置され」た「遊技板」に相当する構成を有する点で共通している。
ウ　引用発明１の「通電されることにより発光」する「発光基板１３」は、本願発明の「通電されることにより発光する発光体が実装され」た「基板」に相当する。
　そうすると、引用発明１の「通電されることにより発光し、前記遊技盤３の背面側に設けられた発光基板１３」 は、本願発明と「通電されることにより発光する発光体が実装され」、「当該遊技板に装着される基板」に相当する構成を有する点で共通している。
エ　引用発明１の「ポリカーボネイト樹脂板」は、本願発明の「ポリカーボネート」に相当する。
　そうすると、引用発明１の「前記遊技盤３は、ポリカーボネイト樹脂板である透明樹脂板９で形成され」ることは、本願発明と「前記遊技板は、材料としてポリカーボネートが用いられ」、「た透明遊技板であ」ることに相当する構成を有する点で共通している。
オ　引用発明１の「前記遊技盤３における前記発光基板１３が配置された部位」、「装飾模様Ｍ１，Ｍ２」は、それぞれ、本願発明の「前記遊技板における前記基板が配置された部位」、「装飾的な模様」に相当する。
　また、引用発明１の「透明樹脂板９」は、その背面側に形成された装飾模様を発光手段により発光させるものであるから、本願発明の「基板に実装された前記発光体により発光された光を透過する部材」に相当する。
　そうすると、引用発明１の「前記透明樹脂板９で形成された遊技盤３における前記発光基板１３が配置された部位の背面側には、装飾模様Ｍ１，Ｍ２が形成されている」ことは、本願発明と「前記遊技板における前記基板が配置された部位」に、「装飾的な模様が付されるとともに当該基板に実装された前記発光体により発光された光を透過する部材が設けられていること」に相当する構成を有する点で共通している。
　そこで、本願発明と引用発明１とを比較すると、両者は、
［一致点］
「遊技球による遊技が行われる遊技領域を有する遊技機において、
　透光性を有する部材で形成され、表面に前記遊技領域を有するとともに遊技くぎが配置された遊技板と、
　通電されることにより発光する発光体が実装され、当該遊技板に装着される基板と、を備え、
　前記遊技板は、材料としてポリカーボネートが用いられた透明遊技板であり、
　前記遊技板における前記基板が配置された部位に、装飾的な模様が付されるとともに当該基板に実装された前記発光体により発光された光を透過する部材が設けられている遊技機。」
　である点で一致し、以下の点で相違している。
［相違点１］
　本願発明では、「遊技板」が「裏面側に当該裏面から厚さ方向に突出する突出部を有」し、「基板」が「前記遊技板の前記突出部を介して当該遊技板に装着される」のに対して、引用発明１では、そのような特定がなされていない点。
［相違点２］
　本願発明では、「透明遊技板」が「射出成形により成形され」たものであって、「当該射出成形により前記突出部が成形され」るのに対して、引用発明１では、そのような特定がなされていない点。
［相違点３］
　本願発明では、「前記遊技板における前記基板が配置された部位の前記表面に、装飾的な模様が付される」に対して、引用発明１では、「遊技板」の「背面側」に付されるため、このような構成ではない点。
（２）判断
　上記各相違点について検討する。
ア　［相違点１〜２］について
　相違点１〜２は、いずれも、「遊技板」と「基板」とを装着するための「突出部」に関連するものなので、まとめて検討する。
　引用発明２には、遊技釘（障害釘）が植設される遊技板（遊技盤）と基板（基板３９〜４２）とが、前記遊技板の裏面側に突出し射出成形により前記遊技板と一体成形される突出部（基板ケース取付基部３８）を介して装着される遊技機が記載されている。
　他方で、材料としてポリカーボネートが用いられた基板を突出部と共に射出成形により成形することは、パチンコ遊技機の基板を成形する上での周知技術（例えば、特開２００８−２６４２９８号公報（以下、「引用文献４」という。）の段落【００３０】〜【００３３】参照。以下、「周知技術１」という。）である。
　そして、引用発明１、２は、いずれも遊技機の遊技板に関して合成樹脂を構成材料としているから、引用発明１における遊技機の遊技板に対して、当該引用発明２における基板を装着するための突出部を成形する技術及び前記周知技術１を適用し、前記相違点１〜２に係る本願発明の構成とすることは、当業者であれば容易に想到し得たことである。
　この点、出願人は、意見書において「引用文献４には、遊技釘２４が配置される遊技盤２０と比べると非常に薄い裏側透明板４２を射出成形にて成形するとともに射出成形にて突出部４４を成形する点が記載されているに過ぎません。
　従いまして、引用文献４には、本願発明の特徴点の一部である、「透光性を有する部材で形成され、表面に遊技領域を有するとともに遊技くぎが配置され、裏面側に当該裏面から厚さ方向に突出する突出部を有する遊技板を備え、前記遊技板は、材料としてポリカーボネートが用いられ、射出成形により成形された透明遊技板であり、当該射出成形により突出部が成形され」ている点については記載も示唆もされていません。」と主張している。
　しかしながら、少なくとも、ポリカーボネートが用いられた基板を突出部と共に射出成形により成形する技術が周知であれば、引用発明１における材料としてポリカーボネートが用いられた遊技板に対して、引用発明２を適用し、基板を装着するための突出部を設けるにあたり、当該遊技板と当該突出部とを射出成形により一体成形するように構成する程度のことは、当業者であれば容易に想到し得たといえるから、上記主張を採用することはできない。
 　
イ　［相違点３］について
　遊技板における基板が配置された部位の表面に装飾的な模様が付されることは、パチンコ遊技機の演出における周知技術（例えば、特開２００４−１６００３１号公報の【請求項１】、段落【００３４】、【００３５】、【図１】、特開２００７−５２７号公報の段落【００１２】、【００２６】、【００３０】、【図２】参照。以下、「周知技術２」という。）であり、装飾的な模様を、材料としてポリカーボネートが用いられた透明遊技板の表面、背面のいずれに付しても、その効果は変わらないから、どちらにするかは当業者が適宜に選択し得る設計事項であるといえる。したがって、引用発明１の遊技板に対して、当該周知技術２を採用し、前記相違点３係る本願発明の構成とすることは、当業者であれば容易に想到し得たことである。
　そして、本願発明の作用効果も、引用発明１、引用発明２及び周知技術１、２に基づいて、当業者が予測できる範囲のものである。
　よって、本願発明は、引用発明１、引用発明２及び周知技術１、２に基づいて、当業者が容易に発明をすることができたものであるから、特許法第２９条第２項の規定により特許を受けることができない。
５　付記
　なお、本願発明は「遊技機」という物の発明であるが、前記［相違点２］に関する 「前記遊技板は」、「射出成形により成形された透明遊技板であり」、「当該射出成形により前記突出部が成形され」という記載は、製造に関して技術的な特徴や条件が付された記載がある場合に該当するため、本願発明にはその物の製造方法が記載されているといえる。
　ここで、物の発明に係る特許請求の範囲にその物を製造方法が記載されている場合において、当該特許請求の範囲の記載が特許法第３６条第６項第２号にいう「発明が明確であること」という要件に適合するといえるのは、出願時において当該物をその構造又は特性により直接特定することが不可能であるか、又はおよそ実際的でないという事情（以下「不可能・非実際的事情」という）が存在するときに限られると解するのが相当である（最高裁第二小法廷平成２７年６月５日　平成２４年（受）第１２０４号、平成２４年（受）第２６５８号）。
　しかしながら、本願明細書等には不可能・非実際的事情について何ら記載がなく、当業者にとって不可能・非実際的事情が明らかであるとも言えない。
　したがって、本願発明は、いわゆるＰＢＰクレームに該当し、前記記載は発明特定事項の内容を明確に特定し得ないものであるが、仮に、前記記載が「遊技板」を特定するための発明特定事項として検討してみても、既に述べたように、引用発明１、引用発明２及び周知技術１から２に基づいて当業者が容易に発明をすることができたものである。
６　むすび 
　以上のとおりであるから、本願発明は、特許法第２９条第２項に該当し特許を受けることができないものである。 
　したがって、その余の請求項に係る発明について検討するまでもなく、本願は拒絶すべきである。　 
　よって、結論のとおり審決する。